(57)【要約】【課題】簡単にフィルタの着脱ができるメンテナンスの作業性を高めるとともに、磁気結合力の低下を防ぎ耐久性と信頼性の高い加熱調理装置を提供すること。【解決手段】扉体１２で開閉される調理室を有する装置本体１１と、この装置本体１１の一部に形成された冷却空気の吸気口１４と、前記吸気口１４に覆設されたフィルタ１５とを備え、前記フィルタ１５に突設され磁性材で形成されたガイドピン１７を設けるとともに、前記吸気口１４の形成部位に前記ガイドピン１７が挿入される挿入穴２０を有し、前記挿入穴２０の裏面近傍に永久磁石２１を配設することにより、フィルタ１５のメンテナンス時に、永久磁石２１が汚れて磁気結合力が低下したり破損したりすることが無くなり、耐久性と保持力の信頼性が向上することができる。【選択図】図３
2011141077.tif 000002
【特許請求の範囲】
【請求項１】
扉体で開閉される調理室を有する装置本体と、この装置本体の一部に形成された冷却空気の吸気口と、前記吸気口に覆設されたフィルタとを備え、
前記フィルタに突設され磁性材で形成されたガイドピンと、前記吸気口の形成部位に前記ガイドピンが挿入される挿入穴を有し、前記挿入穴の裏面近傍に永久磁石を配設した加熱調理装置。
【請求項２】
永久磁石は、挿入穴の裏面で、かつガイドピンに対向した下側に配設される構成とした請求項１に記載の加熱調理装置。
【請求項３】
ガイドピンと、前記ガイドピンを挿入する挿入穴を複数構成し、磁気結合点を複数配設する構成とした請求項１または２に記載の加熱調理装置。
【発明の詳細な説明】
【技術分野】
【０００１】
本発明は、冷却用空気取入れ部にフィルタを着脱自在に装着した加熱調理装置に関するものである。
【背景技術】
【０００２】
従来、この種の加熱調理装置では、制御部の各種電気部品などの加熱を防止するために、冷却用の外部空気を導入するようにしている。そして、ごみなどが侵入しないように、この外部空気の導入部には、フィルタを設けておくのが一般的であり、ごみ詰まりや油汚れに対するメンテナンスのため、フィルタを取り外しできるようにしてあった。
【０００３】
そして、フィルタの取り付けには一般的にビスを用いており、ビスによる取り付け手段では、錆付などでビスの固化が発生し、時としてフィルタの取り外しができなくなることがあった。そのため、簡単にフィルタの着脱ができるように、フィルタに永久磁石を取り付けした構成のものがあった（例えば、特許文献１参照）。
【０００４】
図５は、特許文献１に記載された従来のフィルタを示すものである。図５に示すように、フィルタ３は一側に永久磁石４を有し、装置本体１の前面壁２に磁気的に吸着される構成となっていた。
【先行技術文献】
【特許文献】
【０００５】
【特許文献１】特開２００７−１３９３０５号公報
【発明の概要】
【発明が解決しようとする課題】
【０００６】
しかしながら、前記従来の構成では、フィルタ３はメンテナンス時に取り外して使用する部品のため、フィルタ３表面に永久磁石４を保持する構成にでは、フィルタ３を取り外して清掃する時に、錆などの汚れを付着させ磁気結合力が低下したり、取り扱いにより永久磁石が破損したりするなどの課題を有していた。
【０００７】
また、フィルタ３はメンテナンスで交換する場合が多く、消耗部品として位置づけられるが、汚れの付着や永久磁石４の破損により、交換する場合に部品が高価になるという課題も有していた。
【０００８】
本発明は、前記従来の課題を解決するもので、簡単にフィルタの着脱ができメンテナンスの作業性を向上させるとともに、磁気結合力の低下を防ぎ耐久性と信頼性を向上させた加熱調理装置を提供することを目的とする。
【課題を解決するための手段】
【０００９】
前記従来の課題を解決するために、本発明の加熱調理装置は、扉体で開閉される調理室を有する装置本体と、この装置本体の一部に形成された冷却空気の吸気口と、前記吸気口に覆設されたフィルタとを備え、前記フィルタに突設され磁性材で形成されたガイドピンを設けるとともに、前記吸気口の形成部位に前記ガイドピンが挿入される挿入穴を有し、前記挿入穴の裏面近傍に永久磁石を配設したものである。
【００１０】
これによって、フィルタのメンテナンス時に、永久磁石が汚れて磁気結合力が低下したり、破損したりすることが無くなり、耐久性と保持力の信頼性が向上することができると
ともに、フィルタ自体が簡素化されるためメンテナンスでの部品交換が安価に実施することができる。
【発明の効果】
【００１１】
本発明の加熱調理装置は、フィルタを磁気結合により保持することで、着脱性能を大いに高めることができ、メンテナンスでの作業性を向上させることがきる。また、フィルタ自身の構成を簡素化することで、メンテナンスでの部品交換費用を安価にするとともに、メンテナンス時に永久磁石の汚れと破損を防ぐことになり、フィルタを常時良好に装置本体に保持することができるので、冷却空気の導入を確実に行い、電気部品の故障の発生を抑制することができる。
【図面の簡単な説明】
【００１２】
【図１】本発明の実施の形態１における加熱調理装置の正面図
【図２】本発明の実施の形態１における加熱調理装置のフィルタを外した状態を示す正面図
【図３】本発明の実施の形態１におけるフィルタ取付部の断面図
【図４】本発明の実施の形態２における加熱調理装置の正面図
【図５】従来の加熱調理装置のフィルタ取付を示す断面図
【発明を実施するための形態】
【００１３】
第１の発明は、扉体で開閉される調理室を有する装置本体と、この装置本体の一部に形成された冷却空気の吸気口と、前記吸気口に覆設されたフィルタとを備え、前記フィルタに突設され磁性材で形成されたガイドピンを設けるとともに、前記吸気口の形成部位に前記ガイドピンが挿入される挿入穴を有し、前記挿入穴の裏面近傍に永久磁石を配設することにより、フィルタのメンテナンス時に永久磁石が汚れて磁気結合力が低下したり、破損したりすることが無くなり耐久性と保持力の信頼性が向上するとともに、フィルタ自体が簡素化されるためメンテナンスでの部品交換が安価に実施することができる。
【００１４】
また、挿入穴が冷却空気の吸気口の形成部位に設けられ、永久磁石と磁気結合をする磁性材で形成されたガイドピンが、挿入穴に挿入されることで位置決めが行われ、永久磁石との位置ズレを防ぎ、確実に磁気結合が行われる。
【００１５】
また、フィルタ自体に永久磁石を固定する場所が不要になるため、フィルタの吸気口を大きくすることができ、冷却風の導入量が増え冷却性能を向上することができる。
【００１６】
第２の発明は、特に、第１の発明の永久磁石を挿入穴の裏面で前記ガイドピンに対向した下側に配設される構成とすることにより、ガイドピン先端に下側の吸引力が働き、挿入穴下端を支点として、フィルタに装置本体側にモーメントが働くため、フィルタの自重で剥がれ落ちようとする力に反発する力が働き、フィルタ上端に隙間が開くことを防止することができる。
【００１７】
第３の発明は、特に、第１または第２の発明のガイドピンと前記ガイドピンを挿入する挿入穴とを複数構成し、磁気結合点を複数配設する構成とすることにより、磁気結合力が大きくなり保持力の信頼性が向上するとともに、位置決めの精度をあげることになり、より確実に磁気結合を行うことができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における加熱調理装置の正面図、図２は本発明の実施の形態１における加熱調理装置のフィルタをはずした正面図を示すものである。
【００２０】
同図において、高周波加熱方式などを採用した加熱調理装置は、装置本体１１の前面に扉体１２を具備し、調理室（図示せず）の前方を開閉するようにしてある。装置本体１１は、調理室の開放縁に連なる立壁である前面壁１３を有し、ここに複数の吸気口１４が形成されている。これら吸気口１４より装置本体１１内に導入された外気は、内部に配置された電気部品の冷却に使用される。
【００２１】
しかし、飲食店の厨房はもとより一般家庭の台所における油煙やほこりなどをそのまま吸い込むと、内部の冷却ファンや電気部品に付着凝固して性能を劣化させたり、調理室に侵入し不衛生になったりするため、吸気口１４の前面には金網などのカード材１６を具備したフィルタ１５が覆設されている。
【００２２】
フィルタ１５は、一方に磁性材で形成されたガイドピン１７を有し、他方には側方に開放部を持つ切欠き部１８が形成してある。この切欠き部１７は、装置本体１１の前面壁１３より突設された固定ピン１９に係合し位置決めが行われ、ガイドピン１７が前面壁１３に設けられた挿入穴２０に挿入される。
【００２３】
図３は、フィルタ取付部の断面図である。
【００２４】
前面壁１３に設けられた挿入穴２０に挿入されたガイドピン１７の下方には、永久磁石２１が配設してあり、磁性材で形成されたガイドピン１７を磁気結合により引き寄せ、フィルタ１５を調理室の開放縁に連なる立壁である前面壁１３に、磁気吸着させることになる。この時、ガイドピン１７には、挿入穴２０の下端２２を支点として下方向に働くモーメント２３が発生するので、フィルタ１５やガイドピン１７の自重で剥がれ落ちようとする力２４に反発する力が働き、フィルタ１５上端に隙間が開くことを防止することになる。
【００２５】
また、永久磁石２１は前面壁１３の内側に配設されているため、フィルタ１５のメンテナンス時も含めて永久磁石が汚れて磁気結合力が低下したり、破損したりすることが無く、フィルタ１５の耐久性と保持力の信頼性が向上する。
【００２６】
この構成では、フィルタ１５の磁気結合力は、永久磁石２１の大きさとガイドピン１７の長さなどにより自由に調整が可能であり、すべて外観に現れない部品だけで調整できるため、外観のデザイン性を損なうことなく磁気結合力を増大させることができる。
【００２７】
また、フィルタ１５に永久磁石を固定していないので、フィルタ１５の構成が簡素化されメンテナンスでの部品交換が安価に実施できるだけでなく、金網などのカード材１６を大きくできるため吸気の冷却風の導入量が増え冷却性能を向上することができる。
【００２８】
（実施の形態２）
図４は、本発明の第２の実施の形態の加熱調理装置の正面図であり、図１と同一作用を持つ構成については同一符号を付し、具体的説明は実施の形態１を援用する。
【００２９】
すなわち、本実施の形態では、フィルタ１５に磁性材で形成されたガイドピン１７を両端に有した構成であり、それに付随して挿入穴２０と永久磁石２１とをそれぞれに配設し、磁気結合を行うものである。
【００３０】
この構成によれば、ガイドピン１７と挿入穴２０により両端で位置決めが行われ、磁気
結合箇所が増えることで磁気結合力が増大し、フィルタ１５の固定がより確実に実施されることになる。
【００３１】
また、固定方法もスライドさせることなく差し込むだけで位置決め固定されるので、メンテナンス時の取り外しが容易になり、固定ピン１９の破損などによる設置不良を防止できる。
【００３２】
なお、本実施の形態では、磁気結合箇所を両端の２箇所の構成で説明を行ったが、磁気結合の場所や数は使い方により自由に組み合わせることができる。
【産業上の利用可能性】
【００３３】
以上のように、本発明にかかる加熱調理装置は、フィルタを磁気結合により保持することで着脱性能を大いに高めることができ、メンテナンスでの作業性の向上と、メンテナンス時に永久磁石の汚れと破損を防ぐことで、フィルタの耐久性と保持力の信頼性が向上することが可能となるので、加熱調理装置以外にフィルタを装着している機器等の用途にも適用できる。
【符号の説明】
【００３４】
１１  装置本体
１２  扉体
１４  吸気口
１５  フィルタ
１７  ガイドピン
２０  挿入穴
２１  永久磁石
【図１】
2011141077.tif 000003
【図２】
2011141077.tif 000004
【図３】
2011141077.tif 000005
【図４】
2011141077.tif 000006
【図５】
2011141077.tif 000007